(57)【要約】  【課題】斜め配線部の抵抗値を容易に最適化できる液晶表示装置を提供する。  【解決手段】ＯＬＢパッド43に接続した斜め配線部41のうち、最も外側に位置する斜め配線部41の抵抗値が最も小さくなるように、第１の傾斜配線部51の傾斜角度を調整する。ＯＬＢパッド43からの第１の傾斜配線部51の距離を一定に保ちつつ、最も外側に位置する斜め配線部41の抵抗値を最も小さくでき最適化でき、斜め配線部41の抵抗値を容易に最適化できる。斜め配線部41のシート抵抗値に応じて、斜め配線部41の傾斜角度を抵抗に関して容易に最適化できる。  【選択図】図１
2005250062.tif 000002
【特許請求の範囲】
【請求項１】
スイッチング素子を備えたアレイ基板と、
このアレイ基板に対向して配設された対向基板と、
この対向基板および前記アレイ基板の間に介挿された液晶と、
前記アレイ基板の一側部に沿って配設され、前記スイッチング素子を駆動させる駆動回路と、
この駆動回路に電気的に接続された複数の配線部とを具備し、
これら複数の配線部は、前記アレイ基板の一側部に沿って配設されたパッド部と、このパッド部から所定の間隙を介した位置まで配設された第１の配線部と、この第１の配線部および前記駆動回路を電気的に接続させ前記第１の配線部とは抵抗が異なる第２の配線部とを有し、これら複数の配線部のうち最も外側に位置する前記配線部の抵抗値が最も小さくなるように前記パッド部に対する前記第１の配線部の傾斜角度がそれぞれ調整されて配設されている
ことを特徴とした液晶表示装置。
【請求項２】
第２の配線部は、第１の配線部より抵抗が大きい
ことを特徴とした請求項１記載の液晶表示装置。
【請求項３】
複数の配線部それぞれは、一定の間隔を介して配設されている
ことを特徴とした請求項１または２記載の液晶表示装置。
【請求項４】
複数の配線部それぞれは、一定の線幅を保って配設されている
ことを特徴とした請求項１ないし３いずれか記載の液晶表示装置。
【発明の詳細な説明】
【技術分野】
【０００１】
本発明は、アレイ基板と対向基板との間に液晶が介挿された液晶表示装置に関する。
【背景技術】
【０００２】
従来、この種の液晶表示装置としては、アレイ基板と対向基板との間に液晶が介挿されている。そして、このアレイ基板のガラス基板上には、複数の走査線および信号線が互いに絶縁されて交差して配設されている。これら複数の走査線および信号線それぞれの端部には、第１の電極パターンあるいは第２の電極パターンが電気的に接続されている。これら第１の電極パターンおよび第２の電極パターンのそれぞれは、複数の走査線および信号線のいずれかに対して傾斜して配設された複数の斜め配線電極部を備えている。これら斜め配線電極部それぞれの一端部は、複数の走査線および信号線のいずれかの端部に電気的に接続されている。
【０００３】
また、これら斜め配線電極部それぞれの他端部には、複数の走査線および信号線のいずれかに対して平行に配設された直線配線電極部の一端部がそれぞれ電気的に接続されている。そして、これら直線配線電極部それぞれは、対向基板よりも外側に配設されている。すなわち、これら直線配線電極のそれぞれは、大気に曝された状態でアレイ基板上に配設されている。さらに、これら直線配線電極部は、各斜め配線電極部よりも線幅が大きく形成されている。したがって、これら直線配線電極部のそれぞれは、単位長さ当りの抵抗値が斜め配線電極部よりも小さく構成されている。
【０００４】
そして、第１の電極パターンおよび第２の電極パターンのそれぞれは、複数の走査線および信号線のそれぞれに電気的に接続された斜め配線電極部と直線配線電極部との合成抵抗が等しくなるように、これら斜め配線電極部および直線配線電極部それぞれの長さが調整されている構成が知られている(例えば、特許文献１参照。)。
【特許文献１】特開平６−６７１９１号公報（第２−４頁、図１）
【発明の開示】
【発明が解決しようとする課題】
【０００５】
しかしながら、上述した液晶表示装置では、第１の電極パターンおよび第２の電極パターンそれぞれの斜め配線電極部が複数の走査線および信号線のいずれかに対して傾斜して配設されており、これら第１の電極パターンおよび第２の電極パターンそれぞれの直線配線電極部が、複数の走査線および信号線のいずれかに対して平行に配設されている。
【０００６】
したがって、これら直線配線電極部および斜め配線電極部の合成抵抗をそれぞれ等しくするために、これら直線配線電極部および斜め電極配線部それぞれの長さを調整した場合には、これら斜め電極配線部それぞれにおける複数の走査線および信号線の端部からの距離が不揃いとなってしまうから、これら直線配線電極部および斜め電極配線部の合成抵抗の最適化が容易ではないという問題を有している。
【０００７】
本発明は、このような点に鑑みなされたもので、配線部の抵抗値を容易に最適化できる液晶表示装置を提供することを目的とする。
【課題を解決するための手段】
【０００８】
本発明は、スイッチング素子を備えたアレイ基板と、このアレイ基板に対向して配設された対向基板と、この対向基板および前記アレイ基板の間に介挿された液晶と、前記アレイ基板の一側部に沿って配設され、前記スイッチング素子を駆動させる駆動回路と、この駆動回路に電気的に接続された複数の配線部とを具備し、これら複数の配線部は、前記アレイ基板の一側部に沿って配設されたパッド部と、このパッド部から所定の間隙を介した位置まで配設された第１の配線部と、この第１の配線部および前記駆動回路を電気的に接続させ前記第１の配線部とは抵抗が異なる第２の配線部とを有し、これら複数の配線部のうち最も外側に位置する前記配線部の抵抗値が最も小さくなるように前記パッド部に対する前記第１の配線部の傾斜角度がそれぞれ調整されて配設されているものである。
【０００９】
そして、アレイ基板の一側部に沿って配設されたパッド部から所定の間隙を介した位置まで配設された第１の配線部と、この第１の配線部および駆動回路を電気的に接続させ第１の配線部とは抵抗が異なる第２の配線部とを有する複数の配線部のうち、最も外側に位置する配線部の抵抗値が最も小さくなるようにパッド部に対する第１の配線部の傾斜角度を調整して配設する。この結果、これら各第１の配線部それぞれにおけるアレイ基板の一側部からの距離を一定に保ちつつ、最も外側に位置する配線部の抵抗値を最も小さくできるので、これら配線部の抵抗値を容易に最適化できる。
【発明の効果】
【００１０】
本発明によれば、複数の配線部のうち最も外側に位置する配線部の抵抗値が最も小さくなるようにパッド部に対する第１の配線部の傾斜角度を調整して配設することにより、これら各第１の配線部それぞれにおけるアレイ基板の一側部からの距離を一定に保ちつつ、最も外側に位置する配線部の抵抗値を最も小さくできるので、これら配線部の抵抗値を容易に最適化できる。
【発明を実施するための最良の形態】
【００１１】
以下、本発明の液晶表示装置の第１の実施の形態の構成を図１ないし図６を参照して説明する。
【００１２】
図１ないし図４において、１は平面表示装置としての液晶表示装置１で、この液晶表示装置１は、回路基板としての略矩形平板状のアクティブマトリクス型の液晶表示パネルである。そして、この液晶表示装置１は、矩形平板状のアレイ基板２を備えている。このアレイ基板２の中央部には、画像表示領域としての矩形状の画素エリア３が設けられている。この画素エリア３は、アレイ基板２の幅方向における中央部であるとともに、このアレイ基板２の長手方向における中央部に設けられている。
【００１３】
そして、このアレイ基板２には、このアレイ基板２に対向して対向基板４が配設されている。この対向基板４は、アレイ基板２に略等しい矩形平板状に形成されている。また、この対向基板４とアレイ基板２との間には、図３に示すように、このアレイ基板２および対向基板４それぞれの周縁に沿って、これらアレイ基板２と対向基板４との間を密閉させて液密に接続させるシール材５が取り付けられている。そして、このシール材５にて封止されたアレイ基板２の画素エリア３と対向基板４との間には、液晶６が介挿されて封止されて配設されている。
【００１４】
また、図４に示すように、アレイ基板２の画素エリア３の長手方向における両端縁には、駆動回路としての細長矩形状のＹドライバ回路７,８がそれぞれ取り付けられている。これらＹドライバ回路７,８のそれぞれは、画素エリア３の幅寸法より若干長い長さ寸法を有しており、これらＹドライバ回路７,８の長手方向を画素エリア３の幅方向に沿わせた状態、すなわち画素エリア３の一側部に対して平行に配設されて取り付けられている。そして、これらＹドライバ回路７,８は、シール材５よりも内側のアレイ基板２と対向基板４との間に設けられている。
【００１５】
さらに、アレイ基板２の画素エリア３の幅方向における一側縁には、駆動回路としての細長矩形状のＸドライバ回路９が取り付けられている。このＸドライバ回路９は、画素エリア３の長手寸法に等しい長手寸法を有している。さらに、このＸドライバ回路９は、このＸドライバ回路９の長手方向を画素エリア３の長手方向に沿わせた状態、すなわち画素エリア３の一側部に対して平行に配設されて取り付けられている。そして、このＸドライバ回路９は、シール材５よりも内側のアレイ基板２と対向基板４との間に設けられている。ここで、Ｘドライバ回路９は、後述するＯＬＢパッド43を介して外部から入力される画像信号であるビデオ信号を画素エリア３内の信号線へと供給させる。
【００１６】
一方、このアレイ基板２は、図２に示すように、略透明な矩形平板状の絶縁基板である透光性基板としてのガラス基板11を有している。このガラス基板11の一主面である表面上の全面には、アンダーコート層12が積層されて成膜されている。このアンダーコート層12上には、画素回路用のスイッチング素子である画素トランジスタとしての薄膜トランジスタ(Thin Film Transistor:ＴＦＴ)13がマトリクス状に積層されて形成されている。これら薄膜トランジスタ13のそれぞれは、アレイ基板２のガラス基板11上に作り込まれた回路の一部を構成する。また、これら薄膜トランジスタ13は、アンダーコート層12上に形成された半導体層としての細長略矩形状の活性層14を有している。この活性層14は、多結晶半導体薄膜としてのポリシリコン薄膜にて構成されている。
【００１７】
さらに、この活性層14は、この活性層14の中央部に設けられたチャネル領域15を有している。このチャネル領域15の両側には、ｎ＋領域である電極部としてのソース領域16およびドレイン領域17のそれぞれが設けられている。また、これらソース領域16およびドレイン領域17とチャネル領域15との間には、低不純物濃度領域としてのｎ−領域であるＬＤＤ(Lightly Doped Drain)領域18,19が形成されている。これらＬＤＤ領域18,19は各薄膜トランジスタ13のチャネル領域15の両側に設けられており、これらＬＤＤ領域18,19の両側にソース領域16およびドレイン領域17が設けられている。
【００１８】
一方、各活性層14のチャネル領域15、ソース領域16、ドレイン領域17およびＬＤＤ領域18,19のそれぞれを含むアンダーコート層12上の全面には、膜厚１００ｎｍ程度のゲート絶縁膜21が積層されて成膜されている。このゲート絶縁膜21は、酸化シリコン膜(ＳｉＯＸ)にて形成されており、絶縁性を有するシリコン酸化膜である第１の絶縁膜としてのゲート絶縁層である。
【００１９】
そして、各チャネル領域15に対向したゲート絶縁膜21上には、ゲート配線材料のエッチングにて形成されたゲート電極22が積層されて成膜されている。このゲート電極22は、モリブデン(Ｍｏ)やタングステン(Ｗ)、アルミニウム(Ａｌ)など、あるいはこれらの合金などが用いられる。そして、これらゲート電極22は、ゲート絶縁膜21を介して各薄膜トランジスタ13のチャネル領域15に対向しており、このチャネル領域15の幅寸法に略等しい幅寸法を有している。さらに、これらゲート電極22は、細長矩形状である細長帯状に形成されており、活性層14の長手方向に直交する長手方向を有している。
【００２０】
ここで、これらゲート電極22のそれぞれは、図示しない走査線に電気的に接続されている。これら走査線は、ゲート絶縁膜21上に積層されて成膜されており、アレイ基板２の長手方向に沿って、このアレイ基板２の幅方向に向けて等間隔に平行に離間されて配設されている。さらに、これら走査線は、各Ｙドライバ回路７,８から供給される走査信号を、ゲート電極22を介して各薄膜トランジスタ13へと供給させて、これら各薄膜トランジスタ13を駆動させる。また、これら走査線の間には、図示しない補助容量配線が配線されて設けられている。これら補助容量配線は、これら補助容量配線のそれぞれが隣り合う各走査線に対して平行に配線されている。
【００２１】
さらに、各薄膜トランジスタ13のゲート電極22それぞれを含むゲート絶縁膜21上には、絶縁性を有する酸化シリコン膜である第２絶縁層としての層間絶縁膜23が積層されて成膜されている。そして、これら層間絶縁膜23およびゲート絶縁膜21には、これら層間絶縁膜23およびゲート絶縁膜21のそれぞれを貫通した導通部としてのコンタクト部である複数のコンタクトホール24,25が開口されて設けられている。
【００２２】
ここで、これらコンタクトホール24,25それぞれは、各薄膜トランジスタ13のゲート電極22の両側である、これら薄膜トランジスタ13のソース領域16およびドレイン領域17上に設けられている。そして、コンタクトホール24は、薄膜トランジスタ13のソース領域16に連通して開口している。また、コンタクトホール25は、薄膜トランジスタ13のドレイン領域17に連通して開口している。
【００２３】
さらに、各薄膜トランジスタ13のソース領域16に連通したコンタクトホール24には、信号線であるソース電極26がそれぞれ積層されて設けられている。これらソース電極26は、コンタクトホール24を介して薄膜トランジスタ13のソース領域16に電気的に接続されて導通されている。また、各薄膜トランジスタ13のドレイン領域17に連通したコンタクトホール25には、信号線であるドレイン電極27がそれぞれ積層されて設けられている。これらドレイン電極27は、コンタクトホール25を介して薄膜トランジスタ13のドレイン領域17に電気的に接続されて導通されている。なお、これらソース電極26およびドレイン電極27それぞれは、信号線材料のパターニングにて形成されている。
【００２４】
ここで、各ドレイン電極27には、図示しない信号線が一体的に形成されて電気的に接続されている。これら各信号線は、層間絶縁膜23上に積層されて成膜されており、アレイ基板２の幅方向に沿って、このアレイ基板２の長手方向に向けて等間隔に平行に離間されて配設されている。この結果、これら各信号線は、各走査線に対して互いに絶縁されて交差、すなわち直交して配設されている。よって、各薄膜トランジスタ13は、各信号線および走査線の交差部である交点に対応して配設されている。
【００２５】
そして、これら各薄膜トランジスタ13のソース電極26およびドレイン電極27のそれぞれを含む層間絶縁膜23上には、これら薄膜トランジスタ13を覆うように窒化シリコン(ＳｉＮ)膜にて構成された保護膜としてのパッシベーション膜28が積層されて成膜されている。このパッシベーション膜28には、このパッシベーション膜28を貫通した導通部としてのコンタクトホール29が開口されて設けられている。このコンタクトホール29は、薄膜トランジスタ13のドレイン電極25に連通して開口している。
【００２６】
さらに、このコンタクトホール29を含むパッシベーション膜28上には、薄膜トランジスタ13にて制御される画素電極31が積層されて成膜されている。この画素電極31は、コンタクトホール29を介して薄膜トランジスタ13のドレイン電極27に電気的に接続されて導通している。また、この画素電極31は、各薄膜トランジスタ13に対応し信号線と重畳されて配設されている。さらに、この画素電極31を含んだパッシベーション膜28上には、配向膜32が積層されて成膜されている。
【００２７】
一方、対向基板４は、略透明な矩形平板状の絶縁性基板であるガラス基板35を備えている。このガラス基板35のアレイ基板２に対向した側の一主面には、コモン電極としての対向電極36が積層されて成膜されて設けられている。また、この対向電極36上には、配向膜37が積層されて成膜されている。そして、この配向膜37とアレイ基板２の配向膜32との間に液晶６が介挿されている。
【００２８】
さらに、このアレイ基板２のＸドライバ回路９の幅方向における一側縁には、複数の斜め配線部41それぞれの一端部が電気的に接続されている。これら斜め配線部41のそれぞれは、隣同士の斜め配線部41が一定の間隙を介して、すなわち一定の距離を保って配設されている。さらに、これら斜め配線部41は、これら斜め配線部41のそれぞれが一定の線幅を保って配線されて接続されている。また、これら斜め配線部41は、アレイ基板２と対向基板４との間に設けられており、このアレイ基板２の画素エリア３の反対側に位置するＸドライバ回路９の一側縁に一端部が電気的に接続されている。すなわち、これら斜め配線部41は、Ｘドライバ回路９を複数の走査線に電気的に接続させている。ここで、これら斜め配線部41は、アレイ基板２のゲート絶縁膜21上に積層されて成膜された第１の配線部としての第１の配線層42が積層されて成膜されている。この第１の配線層42は、アレイ基板２上のシール材５の内縁からこのアレイ基板２の幅方向における一端縁までに亘って配線されている。
【００２９】
そして、これら第１の配線層42上それぞれにおけるシール材５よりも外側には、例えば４個のパッド部としてのＯＬＢ(Outer Lead Bonding:アウタリードボンディング)パッド43が積層されて設けられている。これらＯＬＢパッド43は、液晶表示装置１を図示しない信号源に電気的に接続させる。そして、これらＯＬＢパッド43は、アレイ基板２のガラス基板11の幅方向における一側縁に取り付けられている。また、これらＯＬＢパッド43は、Ｘドライバ回路９の長手方向に沿って等間隔にそれぞれがピッチである距離Ｐほど離間された状態で取り付けられている。また、これらＯＬＢパッド43には、これらＯＬＢパッド43のうち最も近接した位置に配設されたＯＬＢパッド43にのみ各斜め配線部41それぞれの第１の配線層42の他端部が電気的に接続されている。
【００３０】
ここで、これらＯＬＢパッド43のそれぞれは、第１の配線層42上に積層されて成膜された第２の配線膜である第２の配線層44を備えている。この第２の配線層44は、シール材５よりも外側の第１の配線層42上に積層されている。そして、この第２の配線層44は、第１の配線層42のシート抵抗σ１とは異なるシート抵抗σ２を有している。具体的に、この第２の配線層44は、第１の配線層42のシート抵抗よりもシート抵抗が大きく(σ２＞σ１)設定されて構成されている。言い換えると、この第２の配線層44は、第１の配線層42の単位長さ当たりの抵抗値、すなわち抵抗率よりも大きな抵抗率を有するように設定されている。また、この第２の配線層44上には、画素電極層45が積層されて成膜されている。この画素電極層45は、各画素電極層45と同一の材料で同一工程にて形成されている。さらに、この画素電極層45上には、可撓性を有するフレキシブル基板46が積層されて圧着されて設けられている。
【００３１】
さらに、各ＯＬＢパッド43よりも内側の第１の配線層42を含むゲート絶縁膜21上には、層間絶縁膜23が積層されて成膜されている。そして、この層間絶縁膜23には、第１の配線層42の長手方向における一端部に連通したコンタクトホール47が設けられている。このコンタクトホール47は、シール材５と第１の配線層42との間に設けられている。そして、このコンタクトホール47を含む層間絶縁膜23上には、第２の配線部としての第２の配線層48が積層されて成膜されている。この第２の配線層48は、第１の配線層42とによって斜め配線部41を構成し、各ＯＬＢパッド43それぞれの第２の配線層44と同一材料および同一工程にて形成されている。
【００３２】
また、この第２の配線層48は、シール材５の幅方向における中央部からＸドライバ回路９まで配線されている。すなわち、この第２の配線層48の一端部は、シール材５と層間絶縁膜23との間に位置しており、コンタクトホール47を介して第１の配線層42の一端部に電気的に接続されている。さらに、この第２の配線層48の長手方向における他端部は、層間絶縁膜23と液晶６との間に位置してＸドライバ回路９に電気的に接続されている。
【００３３】
ここで、図１に示すように、各第１の配線層42におけるＯＬＢパッド43とコンタクトホール47との間の部分のそれぞれが、第１の配線部としての第１の傾斜配線部51とされている。これら第１の傾斜配線部51は、各ＯＬＢパッド43から所定の距離ｌ１を介した位置である分割位置50まで配設されて設けられている。ここで、この分割位置50は、各ＯＬＢパッド43それぞれの一側部に対して所定の距離ｌ１を介して平行に設けられているとともに、Ｘドライバ回路９の幅方向における一側部に対して所定の間隙ｌ２を介して平行に設けられている。
【００３４】
さらに、第１の傾斜配線部51は、ＯＬＢパッド43の長手方向に対して角度θ１程度長手方向が傾斜した状態で配線されている。また、これら第１の傾斜配線部51は、一定の線幅である幅寸法ＷＬ１を有しており、この幅寸法を保って配設されている。さらに、これら第１の傾斜配線部51は、各ＯＬＢパッド43の長手方向に沿って、これらＯＬＢパッド43の一端部から距離ｌ１の位置である分割位置50まで配線されている。言い換えると、これら第１の傾斜配線部51は、一定の間隙である距離ｌ１を介して配設されている。さらに、これら第１の傾斜配線部51のそれぞれは、間隙ＷＳ１を介して等間隔に離間されて配線されている。
【００３５】
そして、これら第１の傾斜配線部51は、任意のＯＬＢパッド43に接続された斜め配線部41のうち、最も外側に位置する斜め配線部41のシート抵抗値が最も小さくなるように、このＯＬＢパッド43に対する傾斜角度θ１がそれぞれ調整されて配設されている。言い換えると、これら第１の傾斜配線部51は、任意のＯＬＢパッド43の端部からＸドライバ回路９の端部までを接続する１本の斜め配線部41のうち、最も傾斜角度が大きくなる配線において抵抗値が最小となるように設定されている。すなわち、これら第１の傾斜配線部51のうち、各ＯＬＢパッド43の一番外側に位置する第１の傾斜配線部51が最も大きい角度の斜め配線となる。そして、この最も外側に位置する第１の傾斜配線部51よりも内側に位置する角度の小さいそれぞれの第１の傾斜配線部51は、内側に向かうに連れて徐々に角度が緩められて小さくされて段階的に配線されている。
【００３６】
また、各第２の配線層48におけるコンタクトホール47とＸドライバ回路９との間の部分のそれぞれが、第２の配線部としての第２の傾斜配線部52とされている。これら第２の傾斜配線部52は、第１の傾斜配線部51とＸドライバ回路９とを電気的に接続させる。そして、これら第２の傾斜配線部52は、ＯＬＢパッド43の長手方向に対して角度θ２程度長手方向を傾斜させた状態で配線されている。また、これら第２の傾斜配線部52は、線幅である幅寸法ＷＬ２を有しているとともに、各ＯＬＢパッド43の長手方向に沿って第１の傾斜配線部51の他端からＸドライバ回路９までの間である距離ｌ２の間に配線されている。すなわち、これら第２の傾斜配線部52は、Ｘドライバ回路９の幅方向における一側縁から距離ｌ２の位置である分割位置50まで配線されている。さらに、これら第２の傾斜配線部52のそれぞれは、間隙ＷＳ2を介して等間隔に離間されて配線されている。
【００３７】
そして、これら第２の傾斜配線部52の他端部は、Ｘドライバ回路９に電気的に接続された複数の端子部53のいずれかに電気的に接続されている。これら端子部53は、Ｘドライバ回路９の長手方向に沿って等間隔にそれぞれが配線ピッチである距離Ｐほど離間された状態で取り付けられている。さらに、これら端子部53は、これら端子部53に第２の傾斜配線部52および第１の傾斜配線部51を介して接続されたＯＬＢパッド43の他端から距離Ｌａほど離間された位置に設けられている。また、これら端子部53は、これら端子部53に接続されたＯＬＢパッド43の長手方向に対して距離Ｌｂほど水平に離間された位置に設けられている。
【００３８】
次に、上記第１の実施の形態の液晶表示装置の斜め配線部の設計方法を説明する。
【００３９】
まず、各ＯＬＢパッド43に接続された斜め配線部41のうち、最も外側に位置する斜め配線部41が最もきつい角度の斜め配線となる。
【００４０】
そして、この斜め配線部41におけるＯＬＢパッド41とＸドライバ回路９との間の最も傾斜角度が大きくなる斜め配線の抵抗を計算する。
【００４１】
このとき、１本分の斜め配線部41の抵抗を考えるので、図１に示すように、ＯＬＢパッド43の距離ＰとＸドライバ回路９のピッチＰを便宜上同じとした。また、各斜め配線部41の第１の傾斜配線部51および第２の傾斜配線部52それぞれの間隙ＷＳ１,ＷＳ２は、これら第１の傾斜配線部51および第２の傾斜配線部52の配線角度θ１,θ２が変化しても一定である。
【００４２】
さらに、第１の傾斜配線部51のＯＬＢパッド43からの距離ｌ１、第１の傾斜配線部51の他端からＸドライバ回路９までの距離ｌ２、ＯＬＢパッド43からＸドライバ回路９までの、このＸドライバ回路の幅方向に沿った距離である直線距離Ｌａ、ＯＬＢパッド43からＸドライバ回路９の端子部53までの、このＸドライバ回路９の長手方向に沿った距離である水平距離Ｌｂのそれぞれも一定である。
【００４３】
この状態で、第１の配線層42および第２の配線層48それぞれのシート抵抗をσ１およびσ２とすると、第１の傾斜配線部51の抵抗値(Ｒ１)は、Ｒ１＝ＷＬ１×ｌ１／cos(θ１)＝(Ｐ×cos(θ１)−ＷＳ１)×ｌ１／cos(θ１)となる。このとき、第２の傾斜配線部52の抵抗値(Ｒ２)は、Ｒ２＝ＷＬ２×ｌ２／cos(θ２)＝[Ｐ×ｌ２／√{(Ｌｂ−ｌ１×tan(θ１))２＋ｌ２２}−ＷＳ２]×√{(Ｌｂ−ｌ１×tan(θ１)２＋ｌ２２となる。
【００４４】
したがって、最も外側に位置する斜め配線部41一本分の抵抗値(Ｒ)は、Ｒ[θ１]＝Ｒ１[θ１]＋Ｒ２[θ１]となる。
【００４５】
そこで、例えば配線ピッチＰ＝３０μｍとし、Ｌａ＝１００μｍとし、Ｌｂ＝５００μｍとし、ｌ１＝２００μｍとし、ｌ２＝３００μｍとし、第１の配線層42のシート抵抗σ１＝１．０Ω／μｍ２とし、第２の配線層48のシート抵抗σ２＝０．１Ω／μｍ２とし、第１の傾斜配線部51の配線間隔ＷＳ１＝１０．０μｍとし、第２の傾斜配線部52の配線間隔ＷＳ２を１０．０μｍとして計算する。
【００４６】
この結果、図５および図６に示すように、最も外側に位置する第１の傾斜配線部51の傾斜角度θ１＝１８゜のときに最適配線角度であることがわかる。
【００４７】
上述したように、上記第１の実施の形態によれば、各斜め配線部41の第２の配線層48が第１の配線層42よりもシート抵抗が小さいため、ＯＬＢパッド43からＸドライバ回路９までを第２の配線層48で配線することも考えられるが、この第２の配線層48はシール材５よりも外側に配設されて大気にさらされ腐食してしまうおそれがあるから、このシール材５よりも外側ではコンタクトホール47を介して第１の配線層42に接続させている。
【００４８】
また、このシール材５の位置をより外側に移動させて、第１の傾斜配線部51の直線距離ｌ１を短くし、第２の傾斜配線部52の直線距離ｌ２を長くすることも考えられるが、これら第１の傾斜配線部51および第２の傾斜配線部52がＯＬＢパッド43と干渉してしまうおそれがある。したがって、これら第１の傾斜配線部51および第２の傾斜配線部52それぞれの直線距離ｌ１,ｌ２を変化させたり、シール材５の位置を移動させたりできない。
【００４９】
そこで、従来の液晶表示装置では、ＯＬＢパッドおよびＸドライバ回路間を斜め配線部にて直線状に接続させていた。しかしながら、この斜め配線部41の第１の傾斜配線部51および第２の傾斜配線部52によるシート抵抗の異なる２種の配線層による接続では、ＯＬＢパッド43からＸドライバ回路９までの配線抵抗に関して最適な方法ではない。
【００５０】
したがって、各ＯＬＢパッド43のそれぞれに接続された斜め配線部41のうち、最も外側に位置する斜め配線部41の抵抗値が最も小さくなるように、第１の傾斜配線部51の傾斜角度を調整する。
【００５１】
この結果、ＯＬＢパッド43からの第１の傾斜配線部51の距離を一定に保ちつつ、最も外側に位置し最も抵抗値が大きくなる斜め配線部41の抵抗値を最も小さくでき最適化できるので、これら斜め配線部41の抵抗値を容易に最適化できる。よって、これら各斜め配線部41のシート抵抗値に応じて、ＯＬＢパッド43とＸドライバ回路９と間を電気的に接続させる斜め配線部41の傾斜角度を抵抗に関して容易に最適化できる。
【００５２】
なお、上記第１の実施の形態では、各斜め配線部41の第１の傾斜配線部51の線幅ＷＬ１および第２の傾斜配線部52の線幅ＷＬ２のそれぞれを固定させない場合について説明したが、図７および図８に示す第２の実施のように、これら第１の傾斜配線部51の線幅ＷＬ１および第２の傾斜配線部52の線幅ＷＬ２のそれぞれを固定させた場合には、最も外側に位置する斜め配線部41一本分の抵抗Ｒ[θ１]＝Ｒ１[θ１]＋Ｒ２[θ１]の最適配線角度を計算すると、Ｒ１[θ１]＝ＷＬ１×ｌ１／cos(θ１)となり、Ｒ２[θ２]＝ＷＬ２×√{(Ｌｂ−ｌ１×tan(θ１))２＋ｌ２２}となる。
【００５３】
したがって、第１の傾斜配線部51の線幅ＷＬ１および第２の傾斜配線部52の線幅ＷＬ２のそれぞれを１５．０μｍとし、その他の条件を上記第１の実施の形態と同様にした場合には、図７および図８に示すように、最も外側に位置する第１の傾斜配線部51の傾斜角度θ１＝５゜のときに配線抵抗が最小になるから、この角度が最適配線角度となる。
【図面の簡単な説明】
【００５４】
【図１】本発明の第１の実施の形態の液晶表示装置の一部を示す説明平面図である。
【図２】同上液晶表示装置を示す説明断面図である。
【図３】同上液晶表示装置の説明分解斜視図である。
【図４】同上液晶表示装置の説明平面図である。
【図５】同上液晶表示装置の第１の配線層の傾斜角度を変化させた際のデータである。
【図６】同上液晶表示装置の第１の配線層の傾斜角度を変化させた際のグラフである。
【図７】本発明の液晶表示装置の第２の実施の形態の第１の配線層の傾斜角度を変化させた際のデータである。
【図８】同上液晶表示装置の第１の配線層の傾斜角度を変化させた際のグラフである。
【符号の説明】
【００５５】
１    液晶表示装置
２    アレイ基板
４    対向基板
６    液晶
９    駆動回路としてのＸドライバ回路
13    スイッチング素子としての薄膜トランジスタ
41    配線部としての斜め配線部
43    パッド部としてのＯＬＢパッド
51    第１の配線部としての第１の傾斜配線部
52    第２の配線部としての第２の傾斜配線部
【図１】
2005250062.tif 000003
【図２】
2005250062.tif 000004
【図３】
2005250062.tif 000005
【図４】
2005250062.tif 000006
【図５】
2005250062.tif 000007
【図６】
2005250062.tif 000008
【図７】
2005250062.tif 000009
【図８】
2005250062.tif 000010